(57)【特許請求の範囲】
【請求項１】
凹面状の反射面を有する光学素子と、上記光学素子の凹面状の反射面に向けて照準光を出射する照準光源と、を有し、上記照準光源から出射された照準光の光点を視野枠内に形成する照準器において、
上記光学素子及び上記照準光源を収納し上面側に開口を有する本体筐体部と、
上記本体筐体部の上面側を覆うカバー部材と、
上記本体筐体部と上記カバー部材との間において互いに平行となるように配設された一対のリンクを有し、当該一対のリンクにより上記本体筐体部と上記カバー部材とを連結すると共に上記本体筐体部に対して上記カバー部材を移動させるリンク機構と、
を具備し、
上記カバー部材は、上記リンク機構における上記一対のリンクがそれぞれ当該リンクの支軸周りに回動することにより、上記本体筐体部の上面側の開口を被覆する閉位置と、上記本体筐体部の上面側の開口から離間した位置に配置され上記本体筐体部の上方を覆うと共に上記本体筐体部の内部の上記照準光源から出射される照準光の光路に沿う光路開口を形成する開位置と、の間において平行に移動され、
上記リンク機構における上記一対のリンクは、上記カバー部材が開位置に配置された際、当該一対のリンクの間に隙間が形成されないオーバーラップ状態となるように配置される
ことを特徴とする照準器。
【請求項２】
上記カバー部材は、上記開位置に配置されたとき、上記照準光源から出射される照準光の光路に沿う両側面の一部を覆う側壁部を、さらに有することを特徴とする請求項１に記載の照準器。
【請求項３】
上記カバー部材は、上記開位置に配置されたとき、上記カバー部材が上記閉位置にあるときよりも、上記光路開口に沿う方向において上記照準光源の配置されている側に偏位することを特徴とする請求項１に記載の照準器。
【請求項４】
上記光学素子は、上記カバー部材の移動に従動して起倒することを特徴とする請求項１に記載の照準器。
【請求項５】
上記光学素子は、
上記カバー部材が開位置にあるときには、上記本体筐体部の内部において起立状態とされて、上記反射面が上記照準光源に対向するように配置され、
上記カバー部材が閉位置にあるときには、上記本体筐体部の内部において倒置状態とされて、上記反射面が上記本体筐体部の開口を含む面に略平行となるように収納配置されることを特徴とする請求項４に記載の照準器。
【請求項６】
上記光学素子は、
上記カバー部材が開位置にあるときには、上記本体筐体部の内部において起立状態とされて、上記反射面が上記照準光の光路に略直交するように配置され、
上記カバー部材が閉位置にあるときには、上記本体筐体部の内部において倒置状態とされて、上記反射面が上記照準光の光路に略平行となるように収納配置されることを特徴とする請求項４に記載の照準器。
【請求項７】
上記本体筐体部の内部には、さらに電源部が具備されていることを特徴とする請求項１に記載の照準器。
【請求項８】
上記電源部は、上記本体筐体部の内部において上記光学素子の配置されている部位よりも底面側に配置されていることを特徴とする請求項７に記載の照準器。
【請求項９】
上記本体筐体部は、さらにアクセサリ取付部を具備することを特徴とする請求項１に記載の照準器。
【請求項１０】
上記アクセサリ取付部は、電気接点をさらに有し、
上記アクセサリ取付部を介して外部機器に装着されたとき、上記外部機器から上記電気接点を介して電力供給を受け得ることを特徴とする請求項９に記載の照準器。
【請求項１１】
上記照準光源の位置調整を行う光源位置調整機構を、さらに具備することを特徴とする請求項１に記載の照準器。
【請求項１２】
上記光源位置調整機構は、上記照準光源から出射される照準光の光点の上記光学素子の反射面上におけるＸ軸方向およびＹ軸方向の二方向にそれぞれ独立して上記照準光源の位置を変位させることを特徴とする請求項１１に記載の照準器。
【発明の詳細な説明】
【技術分野】
【０００１】
この発明は、撮像装置や各種光学機器等に装着して使用する外付け型の照準器に関するものである。
【背景技術】
【０００２】
従来、カメラ（デジタルカメラ，デジタルビデオカメラ等を含む）等の撮像装置を用いて遠距離にある撮像対象物（被写体）を拡大して撮像する場合や、望遠鏡（フィールドスコープ，スポッティングスコープ，双眼鏡等を含む）等の観察用の各種光学機器を用いて遠距離にある観察対象物を拡大して観察する場合等においては、撮像視野又は観察視野が狭くなるために、撮像若しくは観察を所望する対象物を撮像視野若しくは観察視野内に迅速かつ確実に導入することが困難であることが知られている。
【０００３】
そのために、例えば特表平８−５０４０２９号公報，特表２００１−５００９９０号公報，特開２０１２−２０２５７３号公報，特開２０１２−２２９８４４号公報等によって開示されているような形態の照準器を、撮像装置や各種光学機器等に取り付けて使用することで、被写体又は観察対象物の視野内への導入を容易に行うことができるようにする手段が、種々提案され実用化されている。
【先行技術文献】
【特許文献】
【０００４】
【特許文献１】特表平８−５０４０２９号公報
【特許文献２】特表２００１−５００９９０号公報
【特許文献３】特開２０１２−２０２５７３号公報
【特許文献４】特開２０１２−２２９８４４号公報
【発明の概要】
【発明が解決しようとする課題】
【０００５】
ところが、上記特表平８−５０４０２９号公報，上記特表２００１−５００９９０号公報，上記特開２０１２−２０２５７３号公報，上記特開２０１２−２２９８４４号公報等によって開示されている形態の照準器では、例えば日中野外の太陽光下等の環境において使用する場合に、レティクル（照準マーク）の視認性が充分に確保できないことがあるという問題点がある。
【０００６】
本発明は、上述した点に鑑みてなされたものであって、その目的とするところは、レティクル（照準マーク）の視認性の向上に寄与し得ると共に、非使用時の形態をさらに小型化して携帯性の向上に寄与し得る構成を備えた照準器を提供することである。
【課題を解決するための手段】
【０００７】
上記目的を達成するために、本発明の一態様の照準器は、凹面状の反射面を有する光学素子と、上記光学素子の凹面状の反射面に向けて照準光を出射する照準光源と、を有し、上記照準光源から出射された照準光の光点を視野枠内に形成する照準器において、上記光学素子及び上記照準光源を収納し上面側に開口を有する本体筐体部と、上記本体筐体部の上面側を覆うカバー部材と、上記本体筐体部と上記カバー部材との間において互いに平行となるように配設された一対のリンクを有し、当該一対のリンクにより上記本体筐体部と上記カバー部材とを連結すると共に上記本体筐体部に対して上記カバー部材を移動させるリンク機構と、を具備し、上記カバー部材は、上記リンク機構における上記一対のリンクがそれぞれ当該リンクの支軸周りに回動することにより、上記本体筐体部の上面側の開口を被覆する閉位置と、上記本体筐体部の上面側の開口から離間した位置に配置され上記本体筐体部の上方を覆うと共に上記本体筐体部の内部の上記照準光源から出射される照準光の光路に沿う光路開口を形成する開位置と、の間において平行に移動され、上記リンク機構における上記一対のリンクは、上記カバー部材が開位置に配置された際、当該一対のリンクの間に隙間が形成されないオーバーラップ状態となるように配置される。
【発明の効果】
【０００８】
本発明によれば、レティクル（照準マーク）の視認性の向上に寄与し得ると共に、非使用時の形態をさらに小型化して携帯性の向上に寄与し得る構成を備えた照準器を提供することである。
【図面の簡単な説明】
【０００９】
【図１】本発明の一実施形態の照準器の非使用時の形態（カバー閉状態）の全体構成を示す斜視図
【図２】本発明の一実施形態の照準器の使用時の形態（カバー開状態）の全体構成を示す斜視図
【図３】本発明の一実施形態の照準器の非使用時の形態（カバー閉状態）の六面図
【図４】本発明の一実施形態の照準器の使用時の形態（カバー開状態）の六面図
【図５】図３［３Ｂ］に示す［５］−［５］線に沿う断面図
【図６】図３［３Ｂ］に示す［６］−［６］線に沿う断面図
【図７】図４［４Ｂ］に示す［７］−［７］線に沿う断面図
【図８】図４［４Ｂ］に示す［８］−［８］線に沿う断面図
【図９】図４［４Ｄ］に示す［９］−［９］線に沿う断面図
【図１０】図９の符号［１０］で示す領域を拡大して示す要部拡大断面図
【図１１】本発明の一実施形態の照準器の使用時の形態（カバー開状態）において、一部の部品を取り外して内部構造を示す正面図
【図１２】図１１の右側面図
【図１３】図１１の左側面図
【図１４】本発明の一実施形態の照準器における内部構造のうち照準光源及びその照準光源調整機構のみを取り出して主に右側面を示す斜視図
【図１５】図１４と同様に、同照準器における照準光源及びその照準光源調整機構の主に左側面を示す斜視図
【図１６】図１４と同様に、同照準器における照準光源及びその照準光源調整機構の主に底面側を示す斜視図
【図１７】本発明の一実施形態の照準器における内部構造のうち照準光源及びその照準光源調整機構のみを取り出して示す右側面図
【図１８】図１７の上面図
【図１９】図１７の底面図
【図２０】本発明の一実施形態の照準器を使用機器（撮像装置）に取り付けて使用状態としたようすを示す概念図
【発明を実施するための形態】
【００１０】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１１】
なお、本実施形態においては、本発明を適用した照準器の使用時に、対象物に対向する面を前面というものとする。また、当該照準器の使用時に使用者が対面する面を背面というものとする。一方、当該照準器の上側カバー部材が配設されている面を上面というものとする。また、当該照準器の上面に対向する面を底面というものとする。他方、使用状態における当該照準器の両側面を、それぞれ左側面及び右側面というものとする。この場合における左右の判別は、当該照準器の使用時において対象物側から当該照準器の前面に向かって見たときの左側及び右側をそれぞれ左及び右として区別するものとする。
【００１２】
［図面の説明］
図１〜図４は、本発明の一実施形態の照準器の全体構成を示す図である。このうち図１，図２は、本発明の一実施形態の照準器を示す斜視図である。また、図３，図４は、本実施形態の照準器の六面図である。なお、図１，図３は同照準器の非使用時の形態（カバー閉状態）を示している。また、図２，図４は同照準器の使用時の形態（カバー開状態）を示している。なお、図３，図４において符号［３Ａ］，［４Ａ］は正面図、符号［３Ｂ］，［４Ｂ］は上面図、符号［３Ｃ］，［４Ｃ］は底面図、符号［３Ｄ］，［４Ｄ］は右側面図、符号［３Ｅ］，［４Ｅ］は背面図、符号［３Ｆ］，［４Ｆ］は左側面図を、それぞれ示している。
【００１３】
図５〜図９は、本実施形態の照準器の断面図である。このうち図５は図３の符号［３Ｂ］に示す［５］−［５］線に沿う断面図である。図６は図３の符号［３Ｂ］に示す［６］−［６］線に沿う断面図である。図７は図４の符号［４Ｂ］に示す［７］−［７］線に沿う断面図である。図８は図４の符号［４Ｂ］に示す［８］−［８］線に沿う断面図である。図９は図４の符号［４Ｄ］に示す［９］−［９］線に沿う断面図である。なお、図１０は、図９の符号［１０］で示す領域を拡大して示す要部拡大断面図である。
【００１４】
図１１〜図１３は、本実施形態の照準器の内部構造を示すために、同照準器の使用時の形態（カバー開状態）において本体筐体部等の一部の部品を取り外した状態を示す図である。このうち図１１は正面図、図１２は右側面図、図１３は左側面図である。
【００１５】
図１４〜図１９は、本実施形態の照準器における内部構造のうち照準光源及びその照準光源調整機構のみを取り出して示す図である。このうち図１４〜図１６は斜視図、図１７〜図１８は平面図である。詳しくは、図１４は同照準器における照準光源及びその照準光源調整機構の主に右側面を示す斜視図である。図１５は同照準器における照準光源及びその照準光源調整機構の主に左側面を示す斜視図である。図１６は同照準器における照準光源及びその照準光源調整機構の主に底面側を示す斜視図である。また、図１７は同照準器における照準光源及びその照準光源調整機構の右側面図である。図１８は同照準器における照準光源及びその照準光源調整機構の上面図である。図１９は同照準器における照準光源及びその照準光源調整機構の底面図である。
【００１６】
図２０は、本実施形態の照準器を使用機器である撮像装置に取り付けて使用状態としたようすを概念図である。
【００１７】
［全体構成］
まず、本実施形態の照準器の概略構成を、主に図１〜図４等を用いて以下に説明する。本実施形態の照準器１は、例えばカメラ（デジタルカメラ，デジタルビデオカメラ等を含む）等の撮像装置（不図示）や、望遠鏡（フィールドスコープ，スポッティングスコープ，双眼鏡等を含む）等の観察用の各種光学機器等を使用して遠距離にある撮像対象物（被写体）を拡大して撮像若しくは観察する際に、使用する各機器に直接装着し、若しくは使用する各機器の近傍に取付具（不図示）を用いて固定することによって、所望の対象物を当該照準器１を取り付けて使用する使用機器（例えば撮像装置等；不図示。以下、単に使用機器と略記する）の撮像視野若しくは観察視野内へ導入する際に補助するための外部機器である。本実施形態において例示する照準器１は、一般にドットサイト等と称されている形態を有するものである。なお、以下の説明においては、当該照準器１をカメラ等の撮像装置（不図示）に装着して使用する場合を想定している。
【００１８】
本実施形態の照準器１は、上側カバー部材１１及び本体筐体部１２とからなる外装部材と、平行リンク機構１３と、上記本体筐体部１２の内部に配設される各種構成ユニット（詳細後述）と、当該照準器１を上記使用機器の取付部（例えばアクセサリシュー等；不図示）に装着するための接続機構（１８，１９）等によって構成されている。
【００１９】
上記外装部材を構成する上側カバー部材１１及び本体筐体部１２は、いずれも一面に開口を有する筐体であって、両者（１１，１２）が双方の開口（１１ｘ，１２ｘ）を互いに被覆し合うように嵌合されることによって、両者（１１，１２）が一体となることで、内部に所定の空間を有する一つの筐体が形成されるように構成されている。
【００２０】
また、上側カバー部材１１と本体筐体部１２とは、平行リンク機構１３によって連結されている。この平行リンク機構１３は、上側カバー部材１１と本体筐体部１２とを連結し、各開口１１ｘ，１２ｘを開閉自在とする部材であって、上側カバー部材１１を本体筐体部１２に対し所定の範囲内（後述する閉位置と開位置との間）において平行移動させるものである。なお、この平行リンク機構１３の詳細構成は後述する。
【００２１】
したがって、本実施形態の照準器１は、上記平行リンク機構１３が作用することによって、図１，図３に示す非使用時の形態（カバー閉状態）と、図２，図４に示す使用時の形態（カバー開状態）との二態様に変位し得るように構成されている。
【００２２】
ここで、図１，図３に示す非使用時の形態は、上側カバー部材１１が本体筐体部１２の上面側の開口１２ｘの全体を覆い隠した状態である。この状態にあるとき、本体筐体部１２の内部に収納されている各種の構成ユニットは、上側カバー部材１１によって被覆された状態となる。なお、このときの上側カバー部材１１の位置を閉位置というものとし、同状態をカバー閉状態というものとする。この状態においては、上側カバー部材１１と本体筐体部１２とは略一体となっており、両者（１１，１２）は内部に所定の空間を有する一つの筐体を構成している。このとき、平行リンク機構１３は倒置した状態となって、当該筐体の空間内部に収納されている。
【００２３】
一方、図２，図４に示す使用時の形態は、本体筐体部１２の上面側の開口１２ｘから離間した位置に、平行リンク機構１３を介して上側カバー部材１１が配置された状態である。この状態にあるとき、上側カバー部材１１は、本体筐体部１２の上面側を覆っている。これと同時に、上側カバー部材１１は、本体筐体部１２の内部に収納されている構成ユニットのうち照準光源ユニット１６（詳細は後述する）から出射される照準光の光路に沿う光路開口１０（詳細後述。図７，図８参照）を上記本体筐体部１２との間に形成している。このときの上側カバー部材１１の位置を開位置というものとし、同状態をカバー開状態というものとする。この状態においては、上側カバー部材１１と本体筐体部１２とは、起立した状態の平行リンク機構１３を介して連結されており、上側カバー部材１１が本体筐体部１２に対して離間した位置に配置されている。なお、上記上側カバー部材１１の閉位置と開位置とをそれぞれ保持するための機構が設けられているが、それらの機構の詳細については後述する。
【００２４】
上側カバー部材１１は、上述したように、一面に開口１１ｘを有する筐体として、例えば樹脂成形等によって形成されたカバー部材である。上側カバー部材１１は、開口１１ｘに対向する位置の閉塞部をなし本体筐体部１２の主に上面側を覆う面となる天面部１１ａと、開口１１ｘを囲うように天面部１１ａの周縁から起立する複数の壁面、即ち右側壁１１ｂ，左側壁１１ｃ，前面壁１１ｄ，背面壁１１ｅとによって形成される。
【００２５】
これら複数の壁面のうち右側壁１１ｂ及び左側壁１１ｃは、本体筐体部１２の主に左右両側面を覆う面である。右側壁１１ｂ及び左側壁１１ｃは、Ｚ軸に沿う背面寄りの一部領域１１ｂｂが、それ以外の領域１１ｂａに対して切り欠かれた形態となっている。これにより、当該上側カバー部材１１が開位置となったとき、光路開口１０に沿う方向において背面寄りの両側方の開口視野が確保されるように形成している。
【００２６】
また、前面壁１１ｄは、本体筐体部１２の主に前面側を覆う面である。この前面壁１１ｄには、当該上側カバー部材１１が開位置となったとき、光路開口１０に沿う方向において前面側上方の開口視野を確保するために前面壁１１ｄの一部が切り欠かれて切欠１１ｄａが形成されている。そして、背面壁１１ｅは、本体筐体部１２の主に背面面を覆う面である。この背面壁１１ｅにも、上記前面壁１１ｄと同様に、当該上側カバー部材１１が開位置となったとき、光路開口１０に沿う方向において背面側上方の開口視野を確保するために背面壁１１ｅの一部が切り欠かれて切欠１１ｅａが形成されている。
【００２７】
本体筐体部１２は、上述したように、一面に開口１２ｘを有する筐体として、例えば樹脂成形等によって形成されている。本体筐体部１２は、開口１２ｘに対向する位置の閉塞部をなし本体筐体部１２の主に底面側を覆う面となる底面部と、開口１２ｘを囲うように底面部の周縁から起立する複数の壁面（左右両側壁，前面壁，背面壁）とによって形成される。
【００２８】
なお、本体筐体部１２に対して上側カバー部材１１が閉位置に配設された状態では、上側カバー部材１１の開口１１ｘは、本体筐体部１２の開口１２ｘに対向配置されて、上側カバー部材１１は本体筐体部１２の開口１２ｘを完全に被覆する。このとき、上側カバー部材１１の外表面と、本体筐体部１２の外表面とは、全体的に略面一となるように構成されている。
【００２９】
また、本体筐体部１２に対して上側カバー部材１１が開位置に配設された状態では、上述したように、上側カバー部材１１は本体筐体部１２の開口１２ｘから離間した位置で同開口１２ｘの上面側を覆っている。このとき、上側カバー部材１１と本体筐体部１２との間には、照準光源ユニット１６から出射される照準光の光路に沿う光路開口１０が形成される。この場合において、本体筐体部１２の前面壁には、当該光路開口１０に沿う方向において前面側下方及びその両側方の開口視野を確保するために、前面壁の一部が切り欠かれて前面切欠１２ｅが形成されている。ここで、前面壁は厚みを有しており、上記前面切欠１２ｅ、さらに前面下方及び前面両側方に向けて広くなるような傾斜面を有して開口している。
【００３０】
本体筐体部１２の内部には、各種構成ユニットが収納配置されている。例えば、光学素子１４及び光学素子保持枠１５と、照準光源ユニット１６と、照準光源調整機構５０と、電源部と、照度調整部２０等が収納配置されている。
【００３１】
照準光源ユニット１６は、照準光を出射する照準光源１６ｂ等を含んで構成される構成ユニットである。また、光学素子１４及び光学素子保持枠１５は、上記照準光源ユニット１６からの照準光を反射する反射面１４ａを有すると共に、撮像若しくは観察を行う対象となる視野範囲を示す構成部である。これら光学素子１４及び光学素子保持枠１５，照準光源ユニット１６の詳細構成は後述する。
【００３２】
照準光源調整機構５０は、上記照準光源ユニット１６から出射される照準光の出射方向の調整を行うための構成ユニットである。即ち、照準光源調整機構５０は、上記照準光の光点の上記光学素子１４の反射面上におけるＸ軸方向及びＹ軸方向の位置を調整するものである。この照準光源調整機構５０の詳細構成は後述する。
【００３３】
電源部は、電源電池６０等を含み、当該電源電池６０の電力を上記照準光源ユニット１６へと供給する電気回路等によって構成される。
【００３４】
照度調整部２０は、上記照準光源ユニット１６から出射される照準光の出射光量を調整ための光量調整機構である。なお、照度調整部２０は、上記照準光源ユニット１６からの照準光のオンオフ切り換えを行う切り換え機構も兼ねている。この照度調整部２０の詳細構成は後述する。
【００３５】
本体筐体部１２の外面側には、複数の操作部材が配設されている。これら複数の操作部材は、本体筐体部１２の内部に収納されている各構成ユニットに連動するものである。例えば、本体筐体部１２の右側面（右側壁１１ｂ）における前面寄りの部位には、照度調整部２０に含まれる電源オンオフ兼照度調整ダイヤル２１がＸ軸周りに回動自在に配設されている。また、本体筐体部１２の右側面（右側壁１１ｂ）における背面寄りの部位には、照準光源調整機構５０に含まれるＸ軸方向調整ダイヤル５１ｘがＸ軸周りに回動自在に配設されている。本体筐体部１２の左側面（左側壁１１ｃ）における背面寄りの部位であって、上記Ｘ軸方向調整ダイヤル５１ｘに対向する部位には、照準光源調整機構５０に含まれるＹ軸方向調整ダイヤル５１ｙがＸ軸周りに回動自在に配設されている。さらに、本体筐体部１２の背面壁に略中央部位には、上側カバー部材１１の閉位置のロック状態を解除する操作部材である上側カバー開レバー１７がＸ軸に沿う方向に摺動自在に配設されている。なお、この上側カバー開レバー１７が含まれる閉位置ロック解除機構の詳細構成は後述する。
【００３６】
本体筐体部１２の底面側には、当該照準器１を使用する使用機器の取付部（アクセサリシュー等；不図示）に当該照準器１を接続固定するための接続機構が配設されている。この接続機構は、上記使用機器のアクセサリシュー（不図示）に接続固定するための接続嵌合部１８と、この接続嵌合部１８を上記使用機器のアクセサリシュー（不図示）に固定するための締結リング１９と、当該照準器１と使用機器との電気的な接続を確保するための接点１８ａ等によって構成されている。なお、この接続機構は、従来一般に普及している撮像装置等のアクセサリシューに対応する汎用的な機構が適用されているものとする。したがって、その詳細構成は省略する。
【００３７】
また、本体筐体部１２の内部において、底面側の所定の領域には、後述する電池収納室１２ａが形成されている（図１〜図４では不図示；図５等参照）。この電池収納室１２ａに収納される電源電池６０を挿脱するために、本体筐体部１２の底面部の一部領域は、電池蓋１２ｂとして着脱自在に形成されている。そのために、この電池蓋１２ｂを取り外すための電池蓋開閉機構が、本体筐体部１２の内部に配設されている。なお、この電池蓋開閉機構の詳細構成は後述する。
【００３８】
［各部詳細構成：閉位置ロック解除機構／閉位置ロック機構］
次に、本実施形態の照準器１における各部の詳細構成について、以下に順次説明する。
【００３９】
まず、本照準器１において、上側カバー部材１１が閉位置にあるときに、その閉位置ロック状態を解除するための閉位置ロック解除機構、及び同閉位置ロック状態を維持するための閉位置ロック機構の詳細構成を、主に図５〜図８を用いて以下に説明する。
【００４０】
上側カバー部材１１の閉位置ロック解除機構及び閉位置ロック機構は、上側カバー開レバー１７と、上側カバー係止部材３０とによって主に構成されている。
【００４１】
上側カバー開レバー１７は、上述したように、本体筐体部１２の背面壁の略中央部位にＸ軸に沿う方向に摺動自在に配設されている。この場合において、上側カバー開レバー１７は、使用者（ユーザ）が手指等を用いてスライド操作し得るように、その一部位が外部に露呈した形態で本体筐体部１２に配設されている。
【００４２】
また、上側カバー開レバー１７の他の一部位は、本体筐体部１２の背面壁を介して内部に貫通配置されていて、当該他の一部位は、本体筐体部１２の内部において、不図示の付勢部材等によってＸ軸に沿う一方向に向けて常に付勢されている。そして、当該他の一部位は、当該上側カバー開レバー１７がスライド操作されたとき、上側カバー係止部材３０に作用するように構成されている。
【００４３】
上側カバー係止部材３０は、上述したように、上側カバー開レバー１７のスライド操作に応じて作用することによって所定の一方向に移動するように本体筐体部１２の内部に配設される部材である。上側カバー係止部材３０は、本体筐体部１２の内部において、不図示の付勢部材等によってＺ軸に沿う方向であって前面側に向けて常に付勢されている。
【００４４】
上側カバー係止部材３０は、図５等に示すように、先端がフック形状に形成された係止爪部３０ａを有している。この係止爪部３０ａは、上側カバー部材１１が閉位置とされたときには、上側カバー部材１１の内面に形成された被係止部１１ｆを係止することによって、上側カバー部材１１の閉位置を維持している。
【００４５】
また、上側カバー部材１１が閉位置にあるときに、使用者（ユーザ）が上側カバー開レバー１７を上記付勢部材（不図示）の付勢力に抗してＸ軸に沿う他方向にスライド操作すると、その上側カバー開レバー１７のスライド移動に連動して、上側カバー係止部材３０は、上記付勢部材（不図示）の付勢力に抗してＺ軸に沿って背面壁に向けて移動して、上側カバー係止部材３０の係止爪部３０ａと上側カバー部材１１の被係止部１１ｆとの係止状態が解除されるように構成されている。後述するように、上側カバー部材１１は、平行リンク機構１３に含まれる付勢部材（ねじりバネ３１）の付勢力によってＹ軸に沿う略上方に向けて付勢されている。したがって、上述のようにして、係止爪部３０ａと被係止部１１ｆとの係止状態が解除されると、上側カバー部材１１は閉位置から開位置へと移動して、図７，図８の使用状態になる。
【００４６】
つまり、使用者（ユーザ）は、上側カバー開レバー１７を所定の方向（Ｘ軸に沿う他方向）へとスライド操作するのみで閉位置ロック状態を解除して、当該照準器１を非使用状態から使用状態へと変位させることができる。
【００４７】
また、上側カバー部材１１が開位置にあるときに、これを閉位置へと移動させ非使用状態とする際には、使用者（ユーザ）は、手指等にて上側カバー部材１１の天面部を上面側からＹ軸に沿う略下方に向けて上記平行リンク機構１３の付勢部材（ねじりバネ３１；後述）の付勢力に抗して押し下げる。すると、上側カバー部材１１は所定の閉位置へと向かい、やがて被係止部１１ｆが係止爪部３０ａに係止される。
【００４８】
この場合において、上側カバー部材１１の下降動作により被係止部１１ｆが係止爪部３０ａにスムースに係止されるように、被係止部１１ｆの先端部分には背面側に向けた傾斜面１１ｆａが形成されており、これに対応して係止爪部３０ａの先端部分には前面に向けた傾斜面が３０ａａが形成されている。ここで傾斜面１１ｆａと傾斜面３０ａａとは略同等の傾斜角度となるように設定される。
【００４９】
したがって、上側カバー部材１１が所定の閉位置へと向かい、やがて被係止部１１ｆの先端の傾斜面１１ｆａが係止爪部３０ａの先端の傾斜面３０ａａに当接する。この状態で、さらに上側カバー部材１１が下降方向へ押圧されると、被係止部１１ｆの傾斜面１１ｆａは、係止爪部３０ａの傾斜面３０ａａに当接し、上側カバー係止部材３０を下方及び背面側に押圧しながら摺動する。そして、最終的に、被係止部１１ｆに係止爪部３０ａが係止され、図５，図６の非使用状態（閉位置）が維持される。
【００５０】
このように、使用者（ユーザ）は、上側カバー部材１１を所定の方向（Ｙ軸に沿う略下方向）へと押圧操作するのみで上側カバー部材１１を開位置から閉位置ロック状態へ変位させ、よって当該照準器１を使用状態から非使用状態へと変位させることができる。
【００５１】
［各部詳細構成：平行リンク機構］
次に、本照準器１において、平行リンク機構１３の詳細構成を、主に図７，図８，図１１〜図１３等を用いて以下に説明する。
【００５２】
平行リンク機構１３は、上側カバー部材１１と本体筐体部１２とを連結すると共に、各開口１１ｘ，１２ｘを開閉自在とし、上側カバー部材１１を本体筐体部１２に対し所定の閉位置と開位置との間で平行移動させる機構ユニットである。
【００５３】
平行リンク機構１３は、細長で幅を有する平板形状からなる複数のリンク部材、即ち第１リンク１３ａと、第２リンク１３ｂと、連結リンク１３ｃ等によって構成される。なお、本実施形態の照準器１においては、左右両側面のそれぞれに同じ平行リンク機構１３が配設されている。第１リンク１３ａと第２リンク１３ｂとは、常に平行となるように、上側カバー部材１１と本体筐体部１２との間に配設されている。
【００５４】
この場合において、上側カバー部材１１の左右両側壁（１１ｂ，１１ｃ）の各内面側には、それぞれに連結リンク１３ｃが固定されている。これら連結リンク１３ｃの前寄りの一端（符号１３ｄ）には第１リンク１３ａの一端が回動自在に軸支されている。同様に、連結リンク１３ｃの後寄りの他端（符号１３ｅ）には第２リンク１３ｂの一端が回動自在に軸支されている（図７，図８参照）。
【００５５】
なお、図７，図８等に示すように、当該照準器１を使用状態に設定して側方から見た時、第１リンク１３ａと第２リンク１３ｂとは、一部がオーバーラップするように配置されている。この構成は、第１リンク１３ａと第２リンク１３ｂの配置を次のようにすることで実現している。即ち、本実施形態においては、第１リンク１３ａを連結リンク１３ｃの外側面に配置するよう連結し、第２リンク１３ｂを連結リンク１３ｃの内側面に配置するよう連結している。つまり、第１リンク１３ａと第２リンク１３ｂとは、連結リンク１３ｃを挟むようにして配置されている。この構成により、第１リンク１３ａと第２リンク１３ｂとは、互いに干渉すること無く、連結リンク１３ｃに対して摺動し、当該照準器１を非使用状態としたとき、三つのリンク部材が外側から第１リンク１３ａ，連結リンク１３ｃ，第２リンク１３ｂの順に重ね合わせた状態で収納される。また、この構成により、当該照準器１を使用状態にしたときには、第１リンク１３ａと第２リンク１３ｂとの間に隙間が形成されないオーバーラップ状態となっているので、側方からの外光を遮光することができる。
【００５６】
ここで、第１リンク１３ａの一端と連結リンク１３ｃの一端とが回動自在に軸支される部分を第１リンク上側回動支軸１３ｄというものとする。同様に第２リンク１３ｂの一端と連結リンク１３ｃの他端とが回動自在に軸支される部分を第２リンク上側回動支軸１３ｅというものとする。
【００５７】
一方、本体筐体部１２の内部における略中程の固定部位１２ｇには第１リンク１３ａの他端である第１リンク下側回動支軸１３ｆが回動自在に軸支されている。同様に、本体筐体部１２の内部における背面寄りの固定部位１２ｆには第２リンク１３ｂの他端である第２リンク下側回動支軸１３ｇが回動自在に軸支されている（図１２，図１３参照）。
【００５８】
そして、第２リンク１３ｂの第２リンク下側回動支軸１３ｇには、付勢部材であるねじりバネ３１が巻回配置されていて、当該第２リンク１３ｂを第２リンク下側回動支軸１３ｇ周りに、図１２において時計方向に（図１３において反時計方向に）回動させるように、つまり当該第２リンク１３ｂが本体筐体部１２に対して常に起立するように付勢している。これに伴って、第１リンク１３ａも、同様に本体筐体部１２に対して常に起立するように付勢されている。
【００５９】
図示されてはいないが、上記ねじりバネ３１による第２リンク１３ｂの回動付勢のための構成の具体的な例は次のようになる。即ち、ねじりバネ３１は、上述のように、第２リンク１３ｂの第２リンク下側回動支軸１３ｇに巻回配置されている。このとき、同ねじりバネ３１の一端が第２リンク１３ｂ側に植設されたボス部（不図示）に、同ねじりバネ３１の他端が本体筐体部１２の内部における固定部位１２ｉ（図１２，図１３参照）に形成された係止凸部に、それぞれ係止されている。そして、第２リンク１３ｂが倒置された状態（上側カバー部材１１が閉位置にある非使用状態）においてねじりバネ３１は蓄勢された状態となっている。つまり、ねじりバネ３１の付勢力は、第２リンク１３ｂを常に起立させる方向に第２リンク下側回動支軸１３ｇ周りに回動付勢している。
【００６０】
一方、上記第１リンク１３ａ及び第２リンク１３ｂの起立方向への付勢を規制するために、第１リンク１３ａの第１リンク下側回動支軸１３ｆ近傍において、本体筐体部１２の内部固定部位にはストッパ部１２ｈ（図１２，図１３参照）が形成されている。
【００６１】
上述のようにして、ねじりバネ３１の付勢力により、第１リンク１３ａ，第２リンク１３ｂが第１リンク下側回動支軸１３ｆ，第２リンク下側回動支軸１３ｇ周りに所定方向（起立方向）に付勢されると、やがて、第１リンク１３ａの先端面１３ａａがストッパ部１２ｈに当接する。これにより、第１リンク１３ａの第１リンク下側回動支軸１３ｆ周りの付勢回動が規制され、よって平行リンク機構１３は所定の姿勢で安定するように構成されている。なお、平行リンク機構１３が上記安定姿勢にあるとき、本照準器１は使用状態、即ち上側カバー部材１１が開位置にある状態となる。
【００６２】
このように構成される上記平行リンク機構１３においては、平行な一対のリンク（１３ａ，１３ｂ）が各支軸（１３ｇ，１３ｆ）周りに回動することによって、本体筐体部１２に対して上側カバー部材１１を閉位置と開位置との間で平行移動させる。この場合において、上側カバー部材１１は、Ｙ軸に沿う方向において略上昇若しくは略下降することになるが、このとき同時に、上側カバー部材１１は、Ｙ軸に沿う方向の移動だけでなく、Ｚ軸に沿う方向にも移動することになる。
【００６３】
つまり、上側カバー部材１１は、閉位置から開位置へと移動する際に、本体筐体部１２に対してＹ軸方向へ上昇するだけでなく、Ｚ軸方向において背面側（後述するように照準光源１６ｂの配置されている側）に向けて所定量だけ偏位するように構成されている。
【００６４】
ここで、図７に示す符号［Ｃ１］は上側カバー部材１１が閉位置にあるときのＹ軸方向における位置を、同図符号［Ｏ１］は上側カバー部材１１が開位置にあるときのＹ軸方向における位置を、それぞれ示すものとする。したがって、上側カバー部材１１が閉位置から開位置へと移動するとき、上側カバー部材１１のＹ軸方向における移動量は符号Ｙ１で示すことができる。
【００６５】
一方、同図７に示す符号［Ｃ２］は上側カバー部材１１が閉位置にあるときのＺ軸方向における位置を、同図符号［Ｏ２］は上側カバー部材１１が開位置にあるときのＺ軸方向における位置を、それぞれ示すものとする。したがって、上側カバー部材１１が閉位置から開位置へと移動するとき、上側カバー部材１１のＺ軸方向における移動量は符号Ｚ１で示すことができる。つまり換言すると、上側カバー部材１１が閉位置から開位置へと移動するとき、上側カバー部材１１はＺ軸方向において背面側（照準光源１６ｂの側；後述）に向けて移動量Ｚ１だけ偏位する。
なお、本実施形態においては、上側カバー部材１１を開位置と閉位置とに変位させる機構として、複数のリンク部材からなる多節リンク機構として平行リンク機構１３を例示挙げて説明しているが、当該機構の構成としては、この例に限られることはなく、他の形態の多節リンク機構を適用することも可能である。例えば、４つのリンク部材を菱形形状に構成し、伸縮させることによって、固定端の対面にある自由端を平行移動させるように構成したパンタグラフを後方に傾斜させた形態のものを適用し得る。
また、第１関節部または第２関節部を通る直線と、第３関節部または第４関節部と第２関節部とを通る直線とがなす角は常に直角になる。そして、第１，第３，第４関節部は第２関節部を中心として直径が所定の円周上にある複数のリンク機構を後方に傾斜させて用いてもよい。
また、一つのリンク部を揺動させた回転運動と、このリンク部の動きに連動して直線スライド運動に変換した軸摺動レバーとを組み合わせた機構にすることもできる。
【００６６】
［各部詳細構成：照準器の基本構成］
次に、本照準器１における基本構成の詳細、具体的には光学素子１４及び光学素子保持枠１５と照準光源ユニット１６との詳細構成を、主に図５〜図８，図１２，図１３等を用いて以下に説明する。
【００６７】
光学素子１４及び光学素子保持枠１５と照準光源ユニット１６とは、本実施形態の照準器１を構成する最も主たる構成部材である。本実施形態の照準器１は、一般にドットサイトと称されている形態を有するものである。
【００６８】
光学素子１４は、例えば放物面形状もしくは放物面に近似した凹面状の反射面１４ａを有し、例えば透明なガラス若しくは透明樹脂材料によって形成される光学部材である。また、光学素子１４の反射面１４ａは、可視光波長域のうちの所定の一部の波長域の光を反射する一方、上記一部以外の他の波長域の光を透過するダイクロイックミラー若しくはハーフミラー等が適用されている。なお、本実施形態の照準器１における光学素子１４は、略矩形状に形成した例を示している。
【００６９】
光学素子保持枠１５は、光学素子１４を保持すると共に、非使用時の倒置状態と使用時の起立状態との間で姿勢変位し得るように構成されている。光学素子保持枠１５は、光学素子１４の周囲を囲む略矩形状の額縁状の枠状部と、この枠状部を支持する脚部と、この脚部を回動自在に軸支する回動支軸１５ｂとを有して構成されている。回動支軸１５ｂは、本体筐体部１２の内部における固定部位に対し植設される軸部材である。回動支軸１５ｂは、Ｘ軸に沿う方向に載置されている。したがって、光学素子保持枠１５は光学素子１４を保持した状態で、本体筐体部１２の内部固定部位に対し回動支軸１５ｂ周りに回動自在に配設されている。
【００７０】
そして、光学素子保持枠１５の回動支軸１５ｂには、付勢部材であるねじりバネ３２が巻回配置されていて（図１２参照）、当該光学素子保持枠１５を回動支軸１５ｂ周りに、図１２において反時計方向に（図１３において時計方向に）回動させるように、つまり当該光学素子保持枠１５が本体筐体部１２に対して常に起立するように付勢している。なお、上記ねじりバネ３２は、光学素子保持枠１５の二本ある脚部の少なくとも一方にあればよい。本実施形態においては、図１２に示すように、光学素子保持枠１５の二本の脚部のうちの一方のみにねじりバネ３２を配置している。
【００７１】
ここで、上記ねじりバネ３２による光学素子保持枠１５の回動付勢のための構成の具体的な例を簡単に説明する。即ち、ねじりバネ３２は、上述のように、光学素子保持枠１５の回動支軸１５ｂに巻回配置されている。このとき、同ねじりバネ３２の一端は光学素子保持枠１５の一方の脚部側に植設されたボス部（不図示）に係止されている一方、同ねじりバネ３２の他端は本体筐体部１２の内部固定部位に形成された係止凸部１２ｋ（図１２参照）に係止されている。そして、光学素子保持枠１５が倒置された状態（上側カバー部材１１が閉位置にある非使用状態；図５，図６の状態）において、ねじりバネ３２は蓄勢された状態となっている。つまり、ねじりバネ３２の付勢力は、光学素子保持枠１５を常に起立させる方向に回動支軸１５ｂ周りに回動付勢している。
【００７２】
一方、上記光学素子保持枠１５の起立方向への付勢を規制するためのストッパ部１２ｊ（図５〜図８参照）が、本体筐体部１２のＺ軸に沿う前面寄りの内部固定部位に形成されている。このストッパ部１２ｊは、光学素子保持枠１５が図７，図８に示す起立状態となったときに、当該光学素子保持枠１５の両脚部の基端部の前面に対向する部位に形成されている。
【００７３】
このような構成により、上述したように、ねじりバネ３２の付勢力によって光学素子保持枠１５が回動支軸１５ｂ周りに所定方向（起立方向）に付勢されて、光学素子保持枠１５が図７，図８の起立状態になると、光学素子保持枠１５の両脚部の基端部の前面がストッパ部１２ｊに当接する。これにより、光学素子保持枠１５の回動支軸１５ｂ周りの付勢回動が規制され、よって光学素子保持枠１５は所定の起立姿勢で安定するように構成されている。なお、光学素子保持枠１５が上記安定姿勢にあるとき、本照準器１は使用状態、即ち上側カバー部材１１が開位置にある状態となる。
【００７４】
上述したように、本照準器１が非使用状態にあるとき（上側カバー部材１１が閉位置にあるとき；図５，図６の状態）には、光学素子保持枠１５は、本体筐体部１２の内部においてＺ軸に沿うように倒置状態となって、本体筐体部１２と上側カバー部材１１との間の空間に収納配置される。
【００７５】
光学素子保持枠１５の図７，図８に示す起立状態から図５，図６に示す倒置状態へと変位させるための構成は次の通りである。即ち、光学素子保持枠１５は、回動支軸１５ｂとは反対側の端部に摺動突起１５ａが形成されている（図５〜図８参照）。この摺動突起１５ａは、当該光学素子保持枠１５が起立状態となったときに、前面側に向けて突出するように形成されており、かつその先端の断面がＲ形状若しくは球形状に形成されている。
【００７６】
この摺動突起１５ａは、光学素子保持枠１５が図５，図６に示す倒置状態にあるときには、上側カバー部材１１の天面部１１ａの内面に当接した状態にある。つまり、この状態において、閉位置にある上側カバー部材１１の内面が、光学素子保持枠１５の摺動突起１５ａに当接することによって、光学素子保持枠１５の回動支軸１５ｂ周りの付勢力に抗して、当該光学素子保持枠１５の起立しようとする力量を抑え込んでいる。
【００７７】
ここで、上述したように、上側カバー開レバー１７の所定の方向へのスライド操作によって閉位置ロック状態を解除する操作を行うと、上側カバー部材１１は図５，図６の閉位置から図７，図８の開位置へと移動する。これに伴い、上側カバー部材１１による光学素子保持枠１５の押さえ込み状態も解除される。したがって、上側カバー部材１１の閉位置から開位置への移動に伴って、光学素子保持枠１５は、ねじりバネ３２の付勢力によって回動支軸１５ｂ周りに所定方向に回動し、よって、図５，図６の倒置状態から図７，図８の起立状態へと移行する。このとき、光学素子保持枠１５の摺動突起１５ａは、上側カバー部材１１の内面に沿って摺動しつつ起立状態へと変位する。
【００７８】
そのために、上側カバー部材１１の天面部１１ａの内面には、摺動突起１５ａが当接して摺動する部位においてＺ軸に沿って摺動シート２９が設けられている。この摺動シート２９は、上側カバー部材１１の摺動突起１５ａが当接しながら摺動しやすいように、平滑面を有するシート状部材によって構成されている。なお、摺動シート２９は、上側カバー部材１１の内面において、Ｚ軸に沿って前面寄りの部位から当該上側カバー部材１１の内面の中程の所定の部位の間に設けられている。この場合において、摺動シート２９は、上側カバー部材１１の内面においてＺ軸に沿う前面寄りの一部領域に急傾斜を有するように配設されている。
【００７９】
そうして、光学素子保持枠１５が図７，図８の起立状態になったときには、当該光学素子保持枠１５は、上述したように、両脚部の基端部の前面がストッパ部１２ｊに当接することによって、その回動が規制され安定した起立状態になる。この状態において、光学素子保持枠１５の摺動突起１５ａは、上側カバー部材１１の内面（摺動シート２９）に対して若干の距離だけ離間した状態となっている（図７，図８参照）。このことは、光学素子保持枠１５の安定した起立状態を保持するために、そのように設定されているものであるが、必ずしもこのような構成を採る必要はなく、摺動突起１５ａと上側カバー部材１１の内面（摺動シート２９）とが当接した状態を維持していてもよい。
【００８０】
一方、光学素子保持枠１５を起立状態から倒置状態とする場合には、使用者（ユーザ）は手指等にて上側カバー部材１１の天面部１１ａを上面側からＹ軸に沿う略下方に向けて押し下げる操作を行う。すると、この押し下げ操作に従動して、光学素子保持枠１５は、図７，図８に示す起立状態から図５，図６に示す倒置状態へと変位する。即ち、まず、光学素子保持枠１５の摺動突起１５ａが上側カバー部材１１の内面の摺動シート２９に当接する。この状態で、上側カバー部材１１の押し下げ操作を続行すると、上側カバー部材１１の内面の摺動シート２９の表面は、摺動突起１５ａのＲ形状部に対し、これを下方へ押し下げる力量が加わる。ここで、摺動シート２９のＺ軸方向の前面寄りの一部領域は、上述したように急傾斜が設けられている。したがって、摺動突起１５ａのＲ形状部が摺動シート２９の上記急傾斜部に沿って移動することによって、光学素子保持枠１５はスムースに起立状態から所定の方向へ回動し倒置状態へと移行する。
【００８１】
上述のように構成された光学素子保持枠１５は、本体筐体部１２の内部においてＺ軸に沿う方向の前面寄りの部位において、回動支軸１５ｂ周りに回動自在に配設されている。そして、本照準器１が図７，図８に示す使用状態とされて、上側カバー部材１１が開位置にあり、光学素子保持枠１５が起立状態にあるとき、上側カバー部材１１と本体筐体部１２との間には、Ｚ軸に沿う方向に貫通する空間が形成される。そして、この空間の前面寄りの部位に光学素子保持枠１５が起立状態で配置される。この状態においては、上記空間の背面寄りに形成される光路開口１０（図７，図８参照）よりＺ軸方向に沿う前方を覗くと、当該光学素子保持枠１５に保持される光学素子１４を介して前方視野を望むことができるように構成されている。
【００８２】
また、この状態（光学素子保持枠１５の起立状態）にある時、光学素子１４の反射面１４ａは、本体筐体部１２の内部においてＺ軸に沿う方向の背面寄りの部位に配置される照準光源ユニット１６に含まれる照準光源１６ｂに対向するように配置されている。この場合において、当該照準光源１６ｂは、光学素子１４の反射面１４ａの焦点近傍に配置されている。したがって、この構成により、照準光源１６ｂから出射された光は、光学素子１４の反射面１４ａによって反射された後、上側カバー部材１１と本体筐体部１２との間の空間を背面側の光路開口１０に向けて進む。これにより、使用者（ユーザ）は、光学素子１４を介して透過観察し得る前方視野像に、照準光源１６ｂから出射され反射面１４ａによって反射された光点が重畳した形態の像を視認することができるように構成されている（詳細後述）。
【００８３】
ここで、照準光源ユニット１６の構成を、主に図５〜図８，図１４〜図１９等を用いて以下に説明する。
【００８４】
照準光源ユニット１６は、光学素子１４の反射面１４ａに向けて照準光を出射する照準光源１６ｂと、この照準光源１６ｂを駆動する電気回路等を含んで構成される構成ユニットである。なお、照準光源ユニット１６の底面寄りの部位には、照準光源調整機構５０が一体的に配設されている（詳細後述）。
【００８５】
照準光源ユニット１６は、本体筐体部１２の内部おいて、Ｚ軸に沿って背面寄りの部位に配置されている。この場合において、照準光源ユニット１６の前面寄りの一端は、本体筐体部１２の内部における固定部位に対しＸ軸に沿う方向に載置された支軸１６ａによって回動自在に軸支されている。
【００８６】
一方、照準光源ユニット１６の背面寄りの他端は、後述するように付勢部材である緊縮性のコイルばね３３によってＹ軸方向における底面側に向けて付勢されている（図１４等参照）。ここで、上記コイルばね３３の一端は、照準光源ユニット１６の下面の係止部１６ｃに係止されており、同コイルばね３３の他端は、照準光源ユニット１６の底面側に一体的に配設される照準光源調整機構５０の本体固定部５０ｂの係止部５０ａに係止されている。これにより、コイルばね３３は、照準光源ユニット１６の他端を照準光源調整機構５０の側に向けて、つまりＹ軸方向の底面側に向けて付勢している。
【００８７】
照準光源１６ｂは、点状の光源を出射する発光部材、例えば発光ダイオード（Light Emitting Diode；ＬＥＤ）などが適用されている。なお、照準光源１６ｂの光源形状としては、上述の点状のみでなく、他の形態としてもよい。例えば、十字形マーク，丸印，二重丸印，十字と丸とを重畳させたマーク，目盛形状等、各種の形状が考えられ、さらに、これら複数のマークを切り換え選択可能とするような形態としてもよい。
【００８８】
照準光源１６ｂ及びその駆動用電気回路等は、照準光源ユニット１６の内部において背面寄りの他端近傍に配設されている。そして、照準光源１６ｂは、当該照準器１が使用状態（図７，図８参照）とされて光学素子保持枠１５が起立状態にあるとき、光学素子１４の反射面１４ａに向けて照準光を出射し得るように配設されている。
【００８９】
本実施形態の照準器１においては、上述したように、光学素子１４の反射面１４ａは、例えばダイクロイックミラー等によって形成されている。したがって、上記反射面１４ａは、照準光源１６ｂから出射される照準光の波長に含まれる所定の波長帯域の光を反射する一方、その他の波長帯域の光を透過させる。
【００９０】
ここで、例えば、本実施形態の照準器１における照準光源１６ｂとして赤色光を発光する発光ダイオード（ＬＥＤ）が適用されているものとする。この場合、具体的には、反射面１４ａは、照準光源１６ｂから出射される赤色の波長帯域を反射する一方、当該光学素子１４は、青色及び緑色の波長帯域の光を透過する。
【００９１】
したがって、これにより、本照準器１の使用状態において、使用者（ユーザ）が上記光路開口１０から前方を覗いた時、使用者（ユーザ）は、光学素子１４を介して透過観察し得る前方視野像に、照準光源１６ｂから出射され反射面１４ａによって反射された光点が重畳した形態の像を視認することができる。
【００９２】
ところで、本実施形態の照準器１を使用するのに際しては、これを使用する使用機器の取付部（アクセサリシュー等；不図示）に当該照準器１を接続固定した状態で、所定の調整を行う必要がある。ここで、所定の調整とは、当該照準器１における照準光源１６ｂの光路と、使用機器による撮像若しくは観察方向（例えば撮像装置である場合には、その撮像光学系の光軸）との位置関係を略一致させるような調整である。
【００９３】
具体的には、照準器１を使用機器（撮像装置とする）に取り付けた状態において、当該照準器１を使用状態として、その光路開口１０から覗いたときの前方視野像とこれに重畳視認される光点の位置と、使用機器（撮像装置）の撮像光学系によって撮像若しくは観察し得る撮像画像とその略中心点の位置とを略一致させるといった調整である。
【００９４】
この位置調整は、照準器１を使用機器（撮像装置とする）に取り付けた状態で、照準光源１６ｂのＸ軸方向及びＹ軸方向における位置、具体的には照準光源１６ｂの照準光の出射方向を調整することにより行い得る。そのために、本実施形態の照準器１においては、照準光源調整機構５０が具備されている。
【００９５】
［各部詳細構成：照準光源調整機構］
ここで、本照準器１における照準光源調整機構５０の詳細構成を、主に図１４〜図１９を用いて以下に説明する。
【００９６】
照準光源調整機構５０は、照準光源ユニット１６のＸ軸方向における位置調整を行うＸ軸調整機構と、同照準光源ユニット１６のＹ軸方向における位置調整を行うＹ軸調整機構とによって構成されている。この照準光源調整機構５０は、上述したように、照準光源ユニット１６の底面側一体に配設されている。
【００９７】
Ｘ軸調整機構は、Ｘ軸方向調整ダイヤル５１ｘと、Ｘ軸調整送りネジ５２ｘと、雌ねじ部５３ｘと、ガタ取りバネ５４ｘ等によって構成されている。
【００９８】
Ｘ軸方向調整ダイヤル５１ｘは、照準光源ユニット１６のＸ軸方向における位置調整を行うための操作部材である。Ｘ軸方向調整ダイヤル５１ｘは、本体筐体部１２の右側面（右側壁１１ｂ）における背面寄りの部位において一部が外部に露呈するように設けられている。このＸ軸方向調整ダイヤル５１ｘは、本体筐体部１２に対してＸ軸周りに回転自在に配設されている。そして、このＸ軸方向調整ダイヤル５１ｘは、回転中心軸部材が本体筐体部１２の内部に挿入されて、照準光源調整機構５０の本体固定部５０ｂの一部に回転自在に軸支されている。
【００９９】
Ｘ軸調整送りネジ５２ｘは、上記Ｘ軸方向調整ダイヤル５１ｘの同軸上に設けられている。このＸ軸調整送りネジ５２ｘは、本体固定部５０ｂの所定の部位に一体に形成される雌ねじ５３ｘに螺合している。これにより、Ｘ軸調整送りネジ５２ｘを含むＸ軸方向調整ダイヤル５１ｘの回転中心軸部材は、上記雌ねじ５３ｘにおいて回転自在に軸支されている。
【０１００】
雌ねじ部５３ｘは、上述したように、本体固定部５０ｂの所定の部位に形成され、上記Ｘ軸調整送りネジ５２ｘに螺合し、これを回転自在に軸支している。
【０１０１】
ガタ取りバネ５４ｘは、Ｘ軸方向調整ダイヤル５１ｘのＸ軸方向の取り付けガタを除去するために本体固定部５０ｂとＸ軸方向調整ダイヤル５１ｘとの間に設けられる付勢部材であって、例えばＸ軸方向に伸長性を有するコイルスプリング等が適用される。
【０１０２】
このように構成されるＸ軸調整機構は、次のように作用する。即ち、使用者（ユーザ）がＸ軸方向調整ダイヤル５１ｘを正逆回転させると、これに連動してＸ軸調整送りネジ５２ｘも同方向に回転する。このＸ軸調整送りネジ５２ｘには本体固定部５０ｂに一体に形成される雌ねじ５３ｘが螺合している。したがって、これにより、Ｘ軸調整送りネジ５２ｘが所定方向に回転すると、本体固定部５０ｂがＸ軸に沿う方向に移動する。これによって、照準光源ユニット１６をＸ軸に沿う方向に移動させることができ、よって照準光源ユニット１６のＸ軸方向における位置調整を行い得る。
【０１０３】
Ｙ軸調整機構は、Ｙ軸方向調整ダイヤル５１ｙと、Ｙ軸調整用歯車列５２ｙと、Ｙ軸調整用カム５３ｙと、コイルばね３３と、カムフォロワ１６ｙ等によって構成されている。
【０１０４】
Ｙ軸方向調整ダイヤル５１ｙは、照準光源ユニット１６のＹ軸方向における位置調整を行うための操作部材である。Ｙ軸方向調整ダイヤル５１ｙは、本体筐体部１２の左側面（左側壁１１ｃ）における背面寄りの部位において一部が外部に露呈するように設けられている。このＹ軸方向調整ダイヤル５１ｙは、本体筐体部１２に対してＸ軸周りに回転自在に配設されている。そして、このＹ軸方向調整ダイヤル５１ｙは、回転中心軸部材が本体筐体部１２の内部に挿入されて、不図示の固定部位に回転自在に軸支されている。なお、このＹ軸方向調整ダイヤル５１ｙと上記Ｘ軸方向調整ダイヤル５１ｘとは、本体筐体部１２においてＺ軸を挟んで対向するように配設されている。
【０１０５】
Ｙ軸方向調整ダイヤル５１ｙには、同軸上に歯車が固設されており、この歯車は複数の歯車で構成されるＹ軸調整用歯車列５２ｙの一部を構成している。そして、このＹ軸調整用歯車列５２ｙの最終出力歯車の同軸上には、所定形状のカム面を有するＹ軸調整用カム５３ｙがＸ軸に平行となるように所定の固定部位（不図示）に対して回転自在に軸支されている。
【０１０６】
そして、上記Ｙ軸調整用カム５３ｙのカム面には、照準光源ユニット１６の底面部から下方に向けて突設されるカムフォロワ１６ｙの先端が当接している。
【０１０７】
なお、照準光源ユニット１６は、上述したように、緊縮性のコイルばね３３によってＹ軸方向における底面側に向けて常に付勢されている（図１４等参照）。したがって、これにより、上記Ｙ軸調整用カム５３ｙのカム面には、カムフォロワ１６ｙの先端が常に当接した状態となっている。ここで、コイルばね３３は、本体固定部５０ｂの係止部５０ａと照準光源ユニット１６との間に設けられ、照準光源ユニット１６のＹ軸方向における可動ガタを除去するガタ取り手段として機能している。
【０１０８】
このように構成されるＹ軸調整機構は、次のように作用する。即ち、使用者（ユーザ）がＹ軸方向調整ダイヤル５１ｙを正逆回転させると、これに連動してＹ軸調整用歯車列５２ｙを介してＹ軸調整用カム５３ｙがＸ軸周りの所定方向に回転する。すると、このＹ軸調整用カム５３ｙのカム面に当接するカムフォロワ１６ｙを介して照準光源ユニット１６がＹ軸に沿う方向に移動する。このとき、照準光学ユニット１６は、支軸１６ａ周りに回動し、結果的に照準光学ユニット１６をＹ軸に沿う方向に移動させる。これによって、照準光源ユニット１６のＹ軸方向における位置調整を行うことができる。
【０１０９】
［各部詳細構成：照度調整部］
次に、本照準器１における照度調整部２０の詳細構成を、主に図９，図１０を用いて以下に説明する。
【０１１０】
照度調整部２０は、照準光源１６ｂの照度を調整する構成部である。本実施形態において照準光源１６ｂの照度の調整を電気的な抵抗を変更することによって行っている。また、本実施形態における照度調整部２０は、電源状態のオンオフを行う切り換えスイッチをも兼ねるように構成している。
【０１１１】
照度調整部２０は、電源オンオフ兼照度調整ダイヤル２１と、クリック板２２と、クリック凸部２３と、摺動切片２４と、フレキシブルプリント（ＦＰＣ）基板２５と、ＦＰＣ台板２６と、接点板２８等を含む電気回路及び電気部品等によって構成されている。
【０１１２】
電源オンオフ兼照度調整ダイヤル（以下、単に照度調整ダイヤルという）２１は、電源のオンオフ切り換えと照度調整のための切り換えを行う操作部材である。当該照度調整ダイヤル２１は、本体筐体部１２の右側面（右側壁１１ｂ）における前面寄りの部位において一部が外部に露呈するように設けられている。この照度調整ダイヤル２１は、本体筐体部１２の固定部位１２ｍ（図１０参照）に対してＸ軸周りに回転自在となるように、例えば不図示のビス等によって取り付けられている。
【０１１３】
なお、この場合において、図１０に示すように、照度調整ダイヤル２１の回転軸部２１ａと本体筐体部１２の固定部位１２ｍとの間には、Ｏ（オー）リング２７等を配設するシーリング処理が施されており、これによって水滴や塵埃等の内部への侵入を抑え得る防塵防滴構造を備えている。
【０１１４】
本体筐体部１２の内部において、照度調整ダイヤル２１の端部にはクリック板２２が一体に固設されている。このクリック板２２には、複数のクリック孔が所定の間隔を置いて円周上に並べて形成されている。そして、上記クリック板２２の複数のクリック孔が並ぶ円周上に対向する部位であって、本体筐体部１２の内部固定部位にはクリック凸部２３が固設されている。したがって、照度調整ダイヤル２１の回転操作に伴ってクリック板２２が同方向に回転する。この回転に応じて、クリック板２２の複数のクリック孔に対してクリック凸部２３が出入りすることでクリック感が発生するように構成されている。これにより、照度調整ダイヤル２１は、クリック感を伴う回転操作を行い得るように構成されている。
【０１１５】
また、上記クリック板２２の外面には、電気接点を備えた接点板２８が一体に配設されている。これに対向するように、本体筐体部１２の内部固定部位の側には、摺動切片２４が固設されている。この摺動切片２４は、フレキシブルプリント（ＦＰＣ）基板２５と電気的に接続されている。また、このフレキシブルプリント基板２５は、本体筐体部１２の内部固定部位に例えばビス等を用いて固設される台板２６に対して、例えば両面接着テープ等を用いて貼着固定されている。
【０１１６】
［各部詳細構成：電池蓋開閉機構］
次に、本照準器１における本体筐体部１２の電池蓋開閉機構の詳細構成を、主に図５〜図８等を用いて以下に説明する。
【０１１７】
上述したように、本体筐体部１２の内部において、底面側の所定の領域、即ちにＺ軸に沿う前方寄りの領域には、電源電池６０を収納するための所定領域の空間を有する電池収納室１２ａが形成されている。この電池収納室１２ａの開口部分には、上記電池蓋１２ｂが配設されている。
【０１１８】
上記電池蓋１２ｂは、本体筐体部１２の底面部の一部領域、即ちＺ軸に沿う前面寄りの領域において、上記電池収納室１２ａの開口部を外側から覆うように、かつ本体筐体部１２の底面部に対して着脱自在となるように形成されている。
【０１１９】
この場合において、電池蓋１２ｂは、使用者（ユーザ）が本体筐体部１２に対してＺ軸に沿う方向において摺動移動させる操作を行うことによって、電池収納室１２ａの開口部の開閉を行うように構成されている。
【０１２０】
より詳しくは、上記電池収納室１２ａの開口部が閉状態にあるとき（電池蓋１２ｂが本体筐体部１２の底面側の所定の部位に取り付けられている状態にあるとき）、使用者（ユーザ）は、電池蓋１２ｂをＺ軸に沿って前面側に向けて摺動移動させることで、電池収納室１２ａの開口部を開状態とすることができるように構成されている。また、電池収納室１２ａの開口部を閉状態とし、電池蓋１２ｂを本体筐体部１２の底面側の所定の部位に取り付けるには、使用者（ユーザ）は、電池蓋１２ｂをＺ軸に沿って前面側から背面側に向けて摺動移動させる。
【０１２１】
なお、上記電池収納室１２ａの近傍には、電池蓋１２ｂの閉状態を維持すると共に、閉状態にある電池蓋１２ｂを開状態とするために電池蓋１２ｂのロック状態を解除する電池蓋開閉機構が設けられている。この電池蓋開閉機構は、電池蓋開操作ボタン１２ｃと、付勢ばね１２ｄとによって主に構成される。
【０１２２】
電池蓋開操作ボタン１２ｃは、例えば金属製の軸状部材からなり、電池蓋１２ｂの近傍における固定部材に対し、同電池蓋１２ｂの開閉方向に対して直交する軸方向に突没自在に配設されている。そして、この電池蓋開操作ボタン１２ｃは、例えば伸長性のコイルばね等の付勢ばね１２ｄの付勢力によって本体筐体部１２の固定部材の外表面から若干突出するように配設されている。これに対応させて、上記電池蓋１２ｂの一部領域には、当該電池蓋１２ｂが電池収納室１２ａを閉状態としたときに、上記電池蓋開操作ボタン１２ｃの突出部が嵌合する嵌合孔１２ｐが穿設されている。この嵌合孔１２ｐは、電池蓋１２ｂを貫通している。
【０１２３】
このような構成により、電池蓋１２ｂが閉状態にある時には、電池蓋開操作ボタン１２ｃの突出部が電池蓋１２ｂの嵌合孔１２ｐに嵌合することによって、当該電池蓋１２ｂの閉状態が維持されている。
【０１２４】
一方、電池蓋１２ｂの閉状態を解除するためには、使用者（ユーザ）は、次のような操作を行う。即ち、使用者（ユーザ）は、電池蓋１２ｂの外表面側から嵌合孔１２ｐを介して、既存の先細の棒状部材（具体的には例えば鉛筆，ボールペン等のペン先若しくは爪楊枝等の部材）を用いて電池蓋開操作ボタン１２ｃの突出部を付勢ばね１２ｄの付勢力に抗して内部へと押し下げる。すると、電池蓋開操作ボタン１２ｃによる電池蓋１２ｂの係止状態が解除され、当該電池蓋１２ｂは、Ｚ方向前面側に向けてのスライド移動が可能になる。そこで、使用者（ユーザ）は、電池蓋開操作ボタン１２ｃの押し下げ状態を維持したまま、電池蓋１２ｂをＺ方向前面側に向けてスライド移動させる。これにより、電池蓋１２ｂは、本体筐体部１２の底面から離脱して、電池収納室１２ａの開口部が開状態となる。
【０１２５】
したがって、この状態において、使用者（ユーザ）は、電池収納室１２ａに対して当該照準器１に適合する形態の電源電池６０を収納する操作や、既に電池収納室１２ａに収納されている状態の電源電池６０を取り外した後、新たな電源電池６０を装着するといった電池交換操作等を行なうことができる。
【０１２６】
なお、電池収納室１２ａに収納される電源電池６０としては、例えばボタン型若しくはコイン型等と呼ばれる一次電池等が適用される。
【０１２７】
［作用］
上述のように構成される本実施形態の照準器１は、例えば図２０に示すように、撮像装置１００等の所望の使用機器のアクセサリ取付部であるアクセサリシュー１０３に取り付けて、所定の調整を適正に行った後に、実際の使用に供することができる。
【０１２８】
ここで、使用機器としての撮像装置１００の構成を簡単に説明する。撮像装置１００は、図２０に示すように、箱型形状を有する本体部１０１と、筒型形状を有するレンズ鏡筒１０２とによって構成される。本体部１０１の上面には、図示されていないが、例えばシャッターリリースボタン，電源オンオフボタン等の複数の操作部材が設けられている。また、本体部１０１の上面の略中央部分には、各種のアクセサリ機器、例えば本実施形態の照準器１や汎用の閃光発光装置等を着脱可能とするアクセサリシュー１０３が配設されている。そして、本体部１０１の背面には、例えば撮像モードの切り換えダイヤル等を含む複数の操作部材（不図示）が設けられているほか、撮像動作時のライブビュー画像を表示したり撮像済み画像を表示する表示装置１０４が、その表示面を背面外方に向けて配設されている。
【０１２９】
上記レンズ鏡筒１０２は、この本体部１０１の前面に設けられ、前方に向けて突出するように配設されている。レンズ鏡筒１０２は、複数の光学レンズからなる撮像光学系と、これら複数の光学レンズをそれぞれ保持する複数の筒部材と、これら複数の筒部材の一部を上記撮像光学系の光軸に沿う方向に進退駆動するための駆動機構等によって構成されている。このレンズ鏡筒１０２の構成としては、本体部１０１の前面に固設される形態のものであってもよいし、同本体部１０１の前面に対して着脱自在とした形態のものであってもよい。
【０１３０】
アクセサリシュー１０３は、断面がチャンネル形状に形成される一対の保持部のそれぞれを、互いに対向するように配置した形態で、照準器１やその他の外部機器に共通形態で設けられる接続嵌合部１８を保持し得るように構成される取り付け部位である。アクセサリシュー１０３は、主に導電性の金属部材を用いて形成されている。
【０１３１】
また、上記撮像装置１００の上面においては、上記アクセサリシュー１０３の一対の保持部によって囲まれる部位に、複数の電気接点（不図示）が設けられている。これら複数の電気接点は、本体部１０１の内部に設けられる電気回路に接続されている。また、これら複数の電気接点は、当該撮像装置１００に上記照準器１が取り付けられた状態となったとき、つまりアクセサリシュー１０３に接続嵌合部１８が嵌合配置されたとき、照準器１側の接点１８ａが接触する位置に配置されている。したがって、上記複数の電気接点及び接点１８ａとは、撮像装置１００と照準器１とを電気的に接続することによって、例えば本体部１０１側から照準器１側へと電力を供給したり、照準器１側の照準光源１６ｂの動作状態を本体部１０１側の制御部（不図示）へと伝達する等の信号通信を行う手段として機能する。
【０１３２】
このように構成された撮像装置１００に対し、その上面のアクセサリシュー１０３に本実施形態の照準器１の接続嵌合部１８を嵌合させて取り付ける。そして、取り付けた照準器１を、上述した手順にて使用状態とする。
【０１３３】
即ち、まず、使用者（ユーザ）は、照準器１の上側カバー開レバー１７を所定の方向へスライド操作して上側カバー部材１１の閉位置ロック状態を解除する。これにより、上側カバー部材１１が図５，図６の閉位置から図７，図８の開位置へと移動すると同時に、光学素子保持枠１５が倒置状態から起立状態へと変位する。こうして、当該照準器１は、非使用状態から使用状態に変位する。そして、撮像装置１００及び照準器１のそれぞれを使用可能な電源オン状態とする。このときの状態が図２０に示す状態である。
【０１３４】
この状態において、まず、撮像装置１００に対する照準器１の所定の調整を行う。ここで、所定の調整とは、上述したように、照準器１の照準光源１６ｂの光路と、撮像装置１００の撮像光学系の光軸との位置関係を略一致させるような調整である。
【０１３５】
具体的には、照準器１を撮像装置１００に取り付けた状態において、使用状態にある照準器１の光路開口１０から覗いた前方視野像とこれに重畳視認される光点の位置と、撮像装置１００の撮像光学系によって撮像され表示装置１０４の表示画面上に表示される表示画像の略中心点位置とを略一致させるといった調整である。
【０１３６】
この調整を行うことで、照準器１の光学素子１４の前方視野像に重畳視認される光点の光路の延長線と、撮像装置１００の撮像光学系の光軸の延長線とが略平行に設定される。このように調整された照準器１と撮像装置１００とでは、照準器１の光学素子１４の前方視野像に重畳視認される光点を所望の被写体像に重ね合わせると、撮像装置１００の表示装置１０４の表示面上の撮像画面内に上記所望の被写体像を捉えることができるようになる。
【０１３７】
このような調整を施した後、使用者（ユーザ）は、照準器１を用いて所望の被写体を細くして撮像動作を実行する。即ち、図２０に示す状態の装置において、使用者（ユーザ）は、照準器１の背面側から光路開口１０を介して光学素子１４を視認する。このとき、使用者（ユーザ）は、光学素子１４を透して所望の被写体を含む所定範囲の観察像と、照準光源１６ｂの光点を視認し得る。使用者（ユーザ）は、光路開口１０を覗きつつ、当該照準器１を取り付けた使用機器（撮像装置）を任意に動かして、光学素子１４を透して観察される観察範囲内に所望の被写体像が含まれるように大まかな構図設定（フレーミング）を行い、さらに、その所望の被写体像と照準光源１６ｂの光点が重なるように構図設定（フレーミング）の微調整を行う。
【０１３８】
そうして、所望の被写体像と光点とが重畳した状態となったとき、当該所望の被写体像は、撮像装置１００側の表示装置１０４に表示される撮像範囲内に捉えられていることになる。したがって、使用者（ユーザ）は、この状態で、撮像装置１００の表示装置１０４を用いて撮像のための最終的な構図設定（フレーミング）を行って所望のタイミングにてシャッターリリースボタンの押し下げ等、所定の撮像操作を実行する。これにより、所望の被写体像を確実に撮像することができる。
【０１３９】
以上説明したように上記一実施形態によれば、照準器１の非使用状態においては、上側カバー部材１１及び本体筐体部１２が双方の開口（１１ｘ，１２ｘ）を互いに被覆し合うように嵌合して両者（１１，１２）が一体となるように構成したので、内部構成部材を保護することができると共に、照準器の小型化に寄与し、かつ携帯性を向上させることができる。
【０１４０】
一方、照準器１の使用状態においては、本体筐体部１２に対して上側カバー部材１１が平行リンク機構１３によって、本体筐体部１２の上方に移動して、離間した所定の位置に配置した形態となるように構成したので、照準器１の使用時において、照準光源１６ｂの光路内へ外部から入射する不要光のうち、特に上方からの入射光を、上側カバー部材１１の天面部１１ａによって遮光することができる。さらに、これに加えて、上側カバー部材１１の形状を工夫することによって、照準光源１６ｂの光路内への不要光を遮光すると共に、上側カバー部材１１の一部が視野を阻害することなく、照準器１の光路開口１０からの良好な視野を確保することができる。
【０１４１】
具体的には、例えば、左右両側壁（１１ｂ，１１ｃ）においては、Ｚ軸に沿う背面寄りの一部領域１１ｂｂを、それ以外の領域１１ｂａに対して切り欠いた形態とし、使用時における光路開口１０に沿う方向において背面寄りの両側方の開口視野を確保している。また、前面壁１１ｄの切欠１１ｄａは、光路開口１０に沿う方向において前面側上方の開口視野を確保している。そして、背面壁１１ｅの切欠１１ｅａは、光路開口１０に沿う方向において背面側上方の開口視野を確保している。
【０１４２】
さらに、本体筐体部１２の前面壁においても、前面切欠１２ｅを形成することによって、光路開口１０に沿う方向において前面側下方及びその両側方の開口視野を確保している。
【０１４３】
これらに加えて、さらに、本実施形態においては、上側カバー部材１１を閉位置から開位置へと移動する際に、上側カバー部材１１が本体筐体部１２に対してＹ軸方向へ上昇するだけでなく、Ｚ軸方向において背面側（照準光源１６ｂの配置されている側）に向けて所定量（図７の符号Ｚ１）だけ偏位するように構成している。これらの構成によって、本実施形態の照準器１においては、光路開口１０の良好な視野を確保しながら、照準光源１６ｂの光路内への不要光の遮光を行うことができる。
【０１４４】
したがって、例えば日中野外の太陽光下等の環境にて使用する場合であっても、常に確実に照準光源１６ｂの光点（レティクル若しくは照準マークという）と被写体観察像を視認することができ、よって視認性の向上に寄与することができる。
【０１４５】
一方、照準器１を使用状態から非使用状態へと変位させるためには、使用者（ユーザ）は、手指等にて上側カバー部材１１の天面部１１ａを上面側からＹ軸に沿う略下方に向けて平行リンク機構１３のねじりバネ３１の付勢力に抗して、被係止部１１ｆが係止爪部３０ａに係止されるまで押し下げるのみの簡単な操作で実現できる。
【０１４６】
［変形例］
ところで、上述の一実施形態の照準器１においては、本体筐体部１２の一部領域に電池収納室１２ａを形成して、これを開閉する電池蓋１２ｂを設けて構成している。そして、上記照準器１においては、電源電池６０等を含む電源部を有して構成している。
【０１４７】
このような形態の上記一実施形態の照準器１に対して、電源電池６０を含む電源部を省略した形態の変形例が考えられる。
【０１４８】
このような構成とした場合、照準器への電力の供給は、接続機構における接点１８ａを介して接続される使用機器（撮像装置等）の電源部（不図示）から受け得るように構成すればよい。そのために、例えば当該変形例の照準器に対応する使用機器（撮像装置等）側においては、当該照準器の取り付け状況を識別し、当該照準器が取り付けられていることを確認した場合に、使用機器側の電源部から照準器側に対して接点１８ａを介して電力供給を開始する制御を含めて構成する。なお、この変形例の構成では、照度調整部２０に含まれる電源オンオフの切り換え機能を省略してもよい。その他の構成は、上記一実施形態と略同様に構成する。
【０１４９】
このような形態の上記変形例によれば、電源電池６０を含む電源部を省略することができるので、照準器自体のさらなる小型化に寄与することができる。また、使用機器側からの電力供給によって照準器を機能させて使用することができるので、照準器側に別途電源電池を用意する必要が無い。
【０１５０】
［別の変形例］
一方、上記変形例の照準器とは別に、次のような形態の別の変形例も考えられる。ここで説明する別の変形例の照準器は、上記一実施形態の照準器１と略同様の構成を有しており、さらに、照準器側の電源状態がオフ状態である場合、若しくは照準器側の電源電池６０が消耗する等によって照準光源１６ｂを充分に駆動させることができない場合を識別し、その旨の状態識別がなされた場合にのみ使用機器（撮像装置等）側からの電力供給を受け得るような制御がなされるようにする。
【０１５１】
このような構成とした場合、上記電源状態のオンオフ状態の識別若しくは電源電池６０の消耗状態の確認は、例えば照準器側の電源部で行ってもよいし、使用機器（撮像装置等）側の電源部若しくは制御回路等によって行ってもよい。
【０１５２】
このような形態の上記別の変形例によれば、照準器側の電源状態若しくは電源電池６０の消耗状態に関わらず、常に必要となる電力を照準器へと供給することができ、よって常に確実に照準器１を使用機器に取り付けて使用することができる。
【０１５３】
なお、本発明は上述した実施形態に限定されるものではなく、発明の主旨を逸脱しない範囲内において種々の変形や応用を実施し得ることが可能であることは勿論である。即ち、本発明の照準器を取り付けて使用する機器としては、上述の実施形態で例示したカメラ（デジタルカメラ，デジタルビデオカメラ等を含む）等の撮像装置のみに限られることはなく、例えば光学レンズ及び撮像素子を用いて取得した拡大画像を表示する表示用パネル等を備えた観察用の表示装置、若しくは望遠鏡（フィールドスコープ，スポッティングスコープ，双眼鏡等を含む）等の観察用の光学機器等に対しても同様に適用することができる。
【０１５４】
また、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【０１５５】
１……照準器，１０……光路開口，
１１……上側カバー部材，１１ａ……天面部，１１ｂ……右側壁，１１ｃ……左側壁，１１ｄ……前面壁，１１ｄａ，１１ｅａ……切欠，１１ｅ……背面壁，１１ｆ……被係止部，１１ｆａ……傾斜面，１１ｘ，１２ｘ……開口，
１２……本体筐体部，１２ａ……電池収納室，１２ｂ……電池蓋，１２ｃ……電池蓋開操作ボタン，１２ｅ……前面切欠，１２ｆ，１２ｇ，１２ｉ，１２ｍ……固定部位，１２ｈ，１２ｊ……ストッパ部，１２ｋ……係止凸部，１２ｐ……嵌合孔，
１３……平行リンク機構，１３ａ……第１リンク，１３ａａ……先端面，１３ｂ……第２リンク，１３ｃ……連結リンク，１３ｄ……第１リンク上側回動支軸，１３ｅ……第２リンク上側回動支軸，１３ｆ……第１リンク下側回動支軸，１３ｇ……第２リンク下側回動支軸，
１４……光学素子，１４ａ……反射面，
１５……光学素子保持枠，１５ａ……摺動突起，１５ｂ……回動支軸，
１６……照準光源ユニット，１６ａ……支軸，１６ｂ……照準光源，１６ｃ……係止部，１６ｙ……カムフォロワ，
１７……上側カバー開レバー，
１８……接続嵌合部，１８ａ……接点，１９……締結リング，
２０……照度調整部,２１……電源オンオフ兼照度調整ダイヤル，２１ａ……回転軸部，２２……クリック板，２３……クリック凸部，２４……摺動切片，２５……フレキシブルプリント基板，２６……台板，２７……Ｏリング，２８……接点板，
２９……摺動シート，３０……上側カバー係止部材，３０ａ……係止爪部，３０ａａ……傾斜面，３１，３２……ねじりバネ，
５０……照準光源調整機構，５０ａ……係止部，５０ｂ……本体固定部，５１ｘ……Ｘ軸方向調整ダイヤル，５１ｙ……Ｙ軸方向調整ダイヤル,５２ｘ……Ｘ軸調整送りネジ，５２ｙ……Ｙ軸調整用歯車列，５３ｘ……雌ねじ部，５３ｙ……Ｙ軸調整用カム，５４ｘ……ガタ取りバネ，６０……電源電池，
１００……撮像装置，１０１……本体部，１０２……レンズ鏡筒，１０３……アクセサリシュー，
【図１】
0006541213.tif 000002
【図２】
0006541213.tif 000003
【図３】
0006541213.tif 000004
【図４】
0006541213.tif 000005
【図５】
0006541213.tif 000006
【図６】
0006541213.tif 000007
【図７】
0006541213.tif 000008
【図８】
0006541213.tif 000009
【図９】
0006541213.tif 000010
【図１０】
0006541213.tif 000011
【図１１】
0006541213.tif 000012
【図１２】
0006541213.tif 000013
【図１３】
0006541213.tif 000014
【図１４】
0006541213.tif 000015
【図１５】
0006541213.tif 000016
【図１６】
0006541213.tif 000017
【図１７】
0006541213.tif 000018
【図１８】
0006541213.tif 000019
【図１９】
0006541213.tif 000020
【図２０】
0006541213.tif 000021